(57)【要約】【課題】高電圧、直流に対応したコネクタを提供する。【解決手段】プラグコネクタと嵌合することにより電気的に接続されるジャックコネクタにおいて、前記プラグコネクタにおけるプラグ端子と接触するジャック端子と、前記ジャック端子を覆うジャック筐体と、回転軸を中心に回動可能な状態でジャック筐体部に設置されている回動部材と、前記回動部材を付勢するバネと、を有し、前記回動部材の一方の端部には、前記プラグコネクタのプラグ筐体部と接触する接触部が形成され、他方の端部にはジャック端子を押圧する押下部が形成されており、前記プラグコネクタと前記ジャックコネクタとが嵌合する際には、前記プラグ筐体部により前記接触部が押され、前記回動部材が前記回転軸を中心に第一の方向に回動し、前記押下部により前記ジャック端子が前記プラグ端子の側に押され、前記ジャック端子と前記プラグ端子とが接触することを特徴とするコネクタを提供することにより上記課題を解決する。【選択図】  図１
2016110833.tif 000002
【特許請求の範囲】
【請求項１】
プラグコネクタと嵌合することにより電気的に接続されるジャックコネクタにおいて、
前記プラグコネクタにおけるプラグ端子と接触するジャック端子と、
前記ジャック端子を覆うジャック筐体と、
回転軸を中心に回動可能な状態でジャック筐体部に設置されている回動部材と、
前記回動部材を付勢するバネと、
を有し、
前記回動部材の一方の端部には、前記プラグコネクタのプラグ筐体部と接触する接触部が形成され、他方の端部にはジャック端子を押圧する押下部が形成されており、
前記プラグコネクタと前記ジャックコネクタとが嵌合する際には、前記プラグ筐体部により前記接触部が押され、前記回動部材が前記回転軸を中心に第一の方向に回動し、前記押下部により前記ジャック端子が前記プラグ端子の側に押され、前記ジャック端子と前記プラグ端子とが接触することを特徴とするコネクタ。
【請求項２】
前記プラグコネクタを前記ジャックコネクタから抜去する際には、前記ジャックコネクタより前記プラグコネクタを引き離すことにより前記プラグ筐体部と前記接触部との接触が離れ、前記回動部材が前記バネにより付勢されて前記回転軸を中心に前記第一の方向とは逆の第二の方向に回動して前記押下部と前記ジャック端子との接触が離れ、前記ジャック端子と前記プラグ端子との接触が離れることを特徴とする請求項１に記載のコネクタ。
【発明の詳細な説明】
【技術分野】
【０００１】
本発明は、コネクタに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、特許文献１〜３に開示されているように、凸状の雄型タイプのコネクタと、凹状の雌型タイプのコネクタを嵌合することにより、電気的に接続を行うものである。
【０００３】
近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
ところで、電気機器に供給される電力に関しては、電圧が高いと人体に影響を及ぼす場合や、電子部品の動作に影響を与える場合がある。このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００５】
【特許文献１】実開平５−９７０７４号公報
【特許文献２】特開２００１−２５０６２１号公報
【特許文献３】特開２００２−３２４６２４号公報
【発明の概要】
【発明が解決しようとする課題】
【０００６】
このため、電源から供給される電圧が１００Ｖ以上の場合、または、高電圧で直流である場合、例えば、電源から供給される電力が直流４００Ｖの場合等では、現在の交流１００Ｖに用いられているコネクタでは、十分な安全性や信頼性が確保されていないため、そのまま使用することは危険である。
【０００７】
よって、本発明は、上記に鑑みてなされたものであり、高電圧の電力を安全に供給することが可能なコネクタを提供することを目的とするものである。
【課題を解決するための手段】
【０００８】
本実施の形態の一観点によれば、プラグコネクタと嵌合することにより電気的に接続されるジャックコネクタにおいて、前記プラグコネクタにおけるプラグ端子と接触するジャック端子と、前記ジャック端子を覆うジャック筐体と、回転軸を中心に回動可能な状態でジャック筐体部に設置されている回動部材と、前記回動部材を付勢するバネと、を有し、前記回動部材の一方の端部には、前記プラグコネクタのプラグ筐体部と接触する接触部が形成され、他方の端部にはジャック端子を押圧する押下部が形成されており、前記プラグコネクタと前記ジャックコネクタとが嵌合する際には、前記プラグ筐体部により前記接触部が押され、前記回動部材が前記回転軸を中心に第一の方向に回動し、前記押下部により前記ジャック端子が前記プラグ端子の側に押され、前記ジャック端子と前記プラグ端子とが接触することを特徴とする。
【発明の効果】
【０００９】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１０】
【図１】本実施の形態におけるコネクタの構造図
【図２】本実施の形態におけるコネクタの接続方法の説明図（１）
【図３】本実施の形態におけるコネクタの接続方法の説明図（２）
【図４】本実施の形態におけるコネクタが接続されている状態の斜視図
【図５】本実施の形態におけるコネクタの抜去方法の説明図（１）
【図６】本実施の形態におけるコネクタの抜去方法の説明図（２）
【発明を実施するための形態】
【００１１】
本発明を実施するための形態について、以下に説明する。尚、同じ部材等については、同一の符号を付して説明を省略する。
【００１２】
（コネクタの構造）
本実施の形態におけるコネクタについて図１に基づき説明する。本実施の形態におけるコネクタはジャックコネクタ１００であり、プラグコネクタ２００と嵌合し電気的に接続されるコネクタである。
【００１３】
本実施の形態におけるジャックコネクタ１００は、接続端子となるジャック端子１１０、回動部材１２０、バネ１３０を有しており、全体が絶縁性を有する樹脂材料等により形成されたジャック筐体部１４０により覆われている。ジャック筐体部１４０には、プラグコネクタ２００のプラグ端子２１０を含む部分が入れられるジャック開口部１５０が形成されている。
【００１４】
ジャック端子１１０は銅等の導電性を有する金属材料により形成されており、バネ性を有している。回動部材１２０は絶縁性を有する材料により形成されており、中央部分の回転軸１２１を中心に回動可能な状態でジャック筐体部１４０内に設置されている。回動部材１２０の一方の端部１２２には回動部材接触部１２３が形成されており、他方の端部１２４には、ジャック端子押下部１２５が形成されている。回動部材接触部１２３には、後述するプラグ筐体部２２０の角部２２１と接触するテーパ部１２３ａが形成されている。バネ１３０は、一方の端がジャック筐体部１４０の内側に接続されており、他方の端が回動部材１２０の一方の端部１２２に接続されるように設置されており、図１の状態では、バネ１３０の復元力はバネ１３０が伸びる方向に働いている。
【００１５】
ジャックコネクタ１００のジャック開口部１５０の周囲には、縁部１５１が形成されている。ジャックコネクタ１００がプラグコネクタ２００と嵌合していない状態では、回動部材接触部１２３の一部はバネ１３０の復元力により縁部１５１よりジャック開口部１５０の内側に飛び出ている。尚、この状態においては、回動部材１２０の他方の端部１２４はジャック筐体部１４０の内部に設けられた支持部１４１により押されられており、回動部材１２０はこれ以上時計回りに回動はできない。
【００１６】
プラグコネクタ２００は、金属材料により形成されたプラグ端子２１０を有しており、全体が樹脂材料により形成されたプラグ筐体部２２０により覆われている。プラグ筐体部２２０には回動部材接触部１２３と接触する角部２２１が形成されている。角部２２１が形成されているプラグ筐体部２２０の部分は、段差状になっている。
【００１７】
（コネクタの嵌合）
次に、本実施の形態におけるコネクタの嵌合について説明する。本実施の形態におけるプラグコネクタをジャックコネクタに嵌合する際には、ジャックコネクタ１００のジャック開口部１５０に、プラグコネクタ２００のプラグ端子２１０が設けられている側を挿入する。
【００１８】
具体的には、図１に示されるように、ジャックコネクタ１００とプラグコネクタ２００とが離れている状態から、図２に示されるようにジャック開口部１５０にプラグコネクタ２００を挿入する。これにより、プラグ筐体部２２０の角部２２１と回動部材１２０の回動部材接触部１２３とが接触する。即ち、角部２２１は、回動部材接触部１２３のテーパ部１２３ａと接触する。尚、ジャック端子１１０は、プラグ端子２１０が入っただけでは、ジャック端子１１０とプラグ端子２１０とは接触しない。
【００１９】
プラグコネクタ２００がジャック開口部１５０の奥に入るに従って、プラグ筐体部２２０の角部２２１がテーパ部１２３ａの表面に接触している状態のまま嵌合方向に移動する。これにより、角部２２１に接触しているテーパ部１２３ａが上方に押され、回動部材１２０は回転軸１２１を中心に反時計回りに回動する。本願においては、反時計回りを一方の回転方向と記載し、時計回りを一方の回転方向とは逆の回転方向と記載する場合がある。
【００２０】
ジャックコネクタ１００のジャック開口部１５０の奥にプラグコネクタ２００を徐々に入ることにより、プラグ筐体部２２０の角部２２１がテーパ部１２３ａと接触している状態で、バネ１３０の復元力に抗してテーパ部１２３ａが上に押し上げられる。これにより、回動部材１２０は回転軸１２１を中心に反時計回りに回動する。
【００２１】
図３に示されるように、ジャックコネクタ１００のジャック開口部１５０にプラグコネクタ２００を更に挿入することにより、プラグ筐体部２２０の角部２２１と接触している状態で、テーパ部１２３ａがバネ１３０の復元力に抗して更に上に押し上げられ、回動部材１２０は回転軸１２１を中心に図２の状態から更に反時計回りに回動する。プラグ端子２１０がジャック端子１１０が入った状態で、回動部材１２０が回転軸１２１を中心に更に反時計回りに回動することにより、回動部材１２０の他方の端部１２４に設けられたジャック端子押下部１２５がジャック端子１１０を上から押し下げ、ジャック端子１１０を変形させて、ジャック端子１１０とプラグ端子２１０とを接触させる。これにより、ジャックコネクタ１００とプラグコネクタ２００とが電気的に接続される。この状態でジャックコネクタ１００のジャック開口部１５０にプラグコネクタ２００を更に挿入すると、回動部材接触部１２３がプラグ筐体部２２０における上面２２２と接触した状態で挿入される。このようにジャックコネクタ１００とプラグコネクタ２００とが電気的に接続される状態の斜視図を図４に示す。
【００２２】
（コネクタの抜去）
次に、ジャックコネクタ１００からプラグコネクタ２００を抜去する場合について説明する。本実施の形態において、図３に示される状態より、ジャックコネクタ１００からプラグコネクタ２００を引き抜くことにより、図５に示されるように、回動部材１２０の一方の端部１２２に形成された回動部材接触部１２３とプラグコネクタ２００の角部２２１との接触が離れる。この角部２２１をテーパ部１２３ａが通過する際、バネ１３０の復元力により回動部材１２０のテーパ部１２３ａが設けられた側の一方の端部１２２が図５図示下方に押され、回動部材１２０が回転軸１２１を中心に一気に時計回りに回転する。
【００２３】
このように回動部材１２０が回転軸１２１を中心に時計回りに回転することにより、回動部材１２０の他方の端部１２４に設けられたジャック端子押下部１２５がジャック端子１１０から離れる。この際、バネ１３０の復元力によりジャック端子１１０からジャック端子押下部１２５が一気に離れる。このように一気にジャック端子押下部１２５とジャック端子１１０との接触が離れることにより、ジャック端子１１０は自己のバネ性により持ち上げられるため、ジャック端子１１０とプラグ端子２１０との接触が離れ、ジャック端子１１０とプラグ端子２１０との間で生じるアークの発生を抑制することができる。
【００２４】
この後、更に、ジャックコネクタ１００からプラグコネクタ２００を引き抜くことにより、図６に示すように、ジャックコネクタ１００とプラグコネクタ２００とが離れる。
【００２５】
以上、本発明の実施に係る形態について説明したが、上記内容は、発明の内容を限定するものではない。
【符号の説明】
【００２６】
１００      ジャックコネクタ
１１０      ジャック端子
１２０      回動部材
１２１      回転軸
１２２      一方の端部
１２３      回動部材接触部
１２３ａ    テーパ部
１２４      他方の端部
１２５      ジャック端子押下部
１４０      ジャック筐体部
１４１      支持部
１５０      開口部
１５１      縁部
２００      プラグコネクタ
２１０      プラグ端子
２２０      プラグ筐体部
２２１      角部
【図１】
2016110833.tif 000003
【図２】
2016110833.tif 000004
【図３】
2016110833.tif 000005
【図４】
2016110833.tif 000006
【図５】
2016110833.tif 000007
【図６】
2016110833.tif 000008